(57)【要約】【課題】  グリル（加熱手段）を使用して魚などを焼いた場合、グリルの排気口は通常壁側に設けられているので、排気口から排出された油煙や蒸気を吸込口から十分に吸込むことができず、吸込むことができなかった油煙や蒸気は整流板に衝突して本体の後方へ流れ、整流板や後方壁面に結露が発生し易く、結露水が多くなると滴下するといった欠点があった。【解決手段】  排気のためのファンを収めたファンユニットと、該ファンユニットの下部に設けられた固定フードと、該固定フードに収納及び引き出し可能に設けられた可動フードと、前記固定フード及び前記可動フードの下部に設けられ前記固定フード及び前記可動フードとの間に吸込口を形成させるための整流板とを有し、前記整流板を移動させる第一駆動装置と、前記可動フードを収納及び引き出し可能に動作させる第二駆動装置とを設けた。【選択図】図１
2008170034.tif 000002
【特許請求の範囲】
【請求項１】
排気のためのファンを収めたファンユニットと、該ファンユニットの下部に設けられた固定フードと、該固定フードに収納及び引き出し可能に設けられた可動フードと、前記固定フード及び前記可動フードの下部に設けられ前記固定フード及び前記可動フードとの間に吸込口を形成させるための整流板と、を有するレンジフードにおいて、
前記整流板を移動させる第一駆動装置と、前記可動フードを収納及び引き出し可能に動作させる第二駆動装置とを設けたことを特徴とするレンジフード。
【請求項２】
請求項１記載のレンジフードにおいて、
前記移動可能な整流板は前記固定フードに設けられ、前記可動フード側に向かって移動可能としたことを特徴とするレンジフード。
【請求項３】
請求項２記載のレンジフードにおいて、
前記可動フードには固定された整流板を設けたことを特徴とするレンジフード。
【請求項４】
請求項１ないし３のいずれかに記載のレンジフードにおいて、
前記第一の駆動装置と、前記第二駆動装置は１枚の板材に配置し、ユニット化したことを特徴とするレンジフード。
【請求項５】
請求項４記載のレンジフードにおいて、
前記第一駆動装置は、第一駆動電動機と、前記第一駆動電動機の駆動力を伝達する第一ギア、前記第一ギアに連結された第一プーリと、前記第一プーリに巻かれた第一ワイヤーとを備え、前記第二駆動装置は、第二駆動電動機と、前記第二駆動電動機の駆動力を伝達する第二ギア、前記第二ギアに連結された第二プーリと、前記第二プーリに巻かれた第二ワイヤーとを備えたことを特徴とするレンジフード。
【請求項６】
請求項５記載のレンジフードにおいて、
前記第一プーリと前記第二プーリとは、高さを異ならせて配置したことを特徴とするレンジフード。
【請求項７】
請求項５記載のレンジフードにおいて、
前記第一ワイヤーには前記整流板に連結して整流板を移動させる第一連結部材を設け、前記第二ワイヤーには前記可動フードに連結して可動フードを収納及び引き出しさせる第二連結部材を備え、前記第一ワイヤーと前記第二ワイヤーの弛みを抑制するように調節する張力調整手段を設けたことを特徴とするレンジフード。
【請求項８】
請求項７記載のレンジフードにおいて、
前記板材に前記可動フードの引き出し方向に沿って１つの溝を設け、前記１つの溝に前記第一連結部材及び前記第二連結部材を移動可能に設けたことを特徴とするレンジフード。
【請求項９】
請求項５記載のレンジフードにおいて、
前記第一駆動電動機及び第二駆動電動機の運転を制御する位置検知手段を設けたことを特徴とするレンジフード。
【請求項１０】
請求項９記載のレンジフードにおいて、
前記位置検知手段は、１つの部材に複数のスイッチを配置してユニット化し、前記第一駆動電動機及び前記第一ギアを１つの部材に配置してユニット化し、前記第二駆動電動機及び前記第二ギアを１つの部材に配置してユニット化し、これらを前記１枚の板材に配置したことを特徴とするレンジフード。
【請求項１１】
請求項４ないし１０の何れかに記載のレンジフードにおいて、
前記１枚の板材に配置した前記第一駆動装置及び前記第二駆動装置を、前記固定フードの両側に設けたことを特徴とするレンジフード。
【発明の詳細な説明】
【技術分野】
【０００１】
本発明は、加熱調理器からの油煙や水蒸気を屋外に排出するレンジフードに関する。
【背景技術】
【０００２】
従来のレンジフードは、例えば特許文献１のように、固定フードと、この固定フードから収納及び引き出し可能な可動フードと、固定フード及び可動フードの下部に設けられた整流板とを備え、固定フード・可動フードと整流板との間に設けられた吸込口から、調理時に発生した油煙や水蒸気を捕集するものが知られている。
【０００３】
また、特許文献２のように、可動フードを駆動モータ及び位置検出手段等から構成した駆動装置により駆動するものが知られている。
【０００４】
【特許文献１】特開２００６−３１７１２５号公報
【特許文献２】特開２００６−３１７１２６号公報
【発明の開示】
【発明が解決しようとする課題】
【０００５】
特許文献１，２に記載のようなレンジフードでは、下方から上昇する油煙や水蒸気を含む気流のほとんどが固定フードと可動フードの下部に備えた整流板に衝突した後、固定フード・可動フードと整流板との間に設けられた吸込口から吸込んで外部に排出する構造を備えている。このような構造では、本体の側方へ気流が逃げることもあり、油煙や水蒸気の捕集効率を高めることが要求されている。
【０００６】
吸気流路に吸気された油煙は、特に室温が低いときに見られる現象だが、整流板の表面において結露し易い。そのため、整流板にフッ素加工などの表面処理を施したり、また整流板を取り外し易くして、結露を防止すると共に普段の手入れ時に整流板表面を拭き取り易くして清掃性の向上に努めている。
【０００７】
しかしながら、レンジフードは高所の壁側（奥側）に位置して取付けられており、整流板自体も大きく、しかも移動も出来ないため、使用者が手入れを行う際、整流板を拭き取り難く、また取り外し難いといった課題があった。
【０００８】
また、特許文献１，２に記載のようなレンジフードでは、ＩＨクッキングヒータやガスコンロのどの位置に鍋等が置かれた場合でも油煙や蒸気が吸込めるように、固定フード・可動フードと整流板との間に設けられた吸込口の開口幅（固定フード・可動フードと整流板との間の距離）は、ほぼ均一に形成されている。可動フード側の整流板は、可動フードの移動に伴って移動するが、この整流板は可動フードに固定されているため、可動フードと整流板との間に設けられた吸込口の開口幅は変化しない。このため、ＩＨクッキングヒータやガスコンロに備えられるグリル（加熱手段）を使用して魚などを焼いた場合、グリルの排気口は通常壁側に設けられているので、排気口から排出された油煙や蒸気を吸込口から十分に吸込むことができず、吸込むことができなかった油煙や蒸気は整流板に衝突して本体の後方へ流れ、整流板や後方壁面に結露が発生し易く、結露水が多くなると滴下するといった欠点があった。近年、ＩＨクッキングヒータが普及しているが、このＩＨクッキングヒータは誘導加熱により鍋自体が発熱し加熱調理を行うので、ＩＨクッキングヒータの周辺はあまり温度が上昇しない。このため、ＩＨクッキングヒータの周辺の壁も暖められないので、調理によって発生した油煙や蒸気との温度差も大きくなり、壁面に結露がより発生し易くなるものであった。そして、この結露水の滴下を防ぐために、使用者は結露水を拭き取らなければならず、清掃の手間が掛かるといった課題があった。
【０００９】
また、特許文献２のような駆動装置を設けたレンジフードにおいては、駆動電動機と、駆動電動機の軸に連結されたプーリと、プーリに巻かれたワイヤーと、位置検知手段とを１枚の板材に配置して駆動装置をユニット化しているので、駆動電動機等が損傷・故障し新しい駆動電動機等に取り替える際には、板材にユニット化された駆動装置ごと取り外して交換となるため、駆動電動機等のみの交換作業が行えず、交換作業費用や部品費用が高価になる課題があった。
【００１０】
本発明の目的は、上記課題を解決し、清掃性を向上させたレンジフードを提供することにある。
【００１１】
また、本発明の目的は、壁面等への結露を防ぐと共に、加熱手段の使用に応じた換気を行うことのできるレンジフードを提供することにある。
【００１２】
さらに、本発明の目的は、ユニット化された駆動装置が損傷・故障した際においても、交換が必要な部品のみを交換可能にしたレンジフードを提供することにある。
【課題を解決するための手段】
【００１３】
上記目的を達成するために本発明の特徴とするところは、排気のためのファンを収めたファンユニット部の下部に設けられた固定フードに、収納及び引き出し可能な可動フードと、移動可能な整流板と、整流板を移動させる第一駆動装置と、可動フードを動作させる第二駆動装置とを設けたことにある。
【００１４】
また、その移動可能な整流板は固定フードに設け、可動フードには固定された整流板を設けたものである。
【００１５】
また、第一の駆動装置と、前記第二駆動装置は１枚の板材に配置し、ユニット化したものである。
【００１６】
また、第一駆動装置は、第一駆動電動機と、駆動力を伝達する第一ギア、第一ギアに連結された第一プーリと、第一プーリに巻かれた第一ワイヤーとを備え、第二駆動装置は、第二駆動電動機と、第二駆動電動機の駆動力を伝達する第二ギア、第二ギアに連結された第二プーリと、第二プーリに巻かれた第二ワイヤーとを備えたものである。
【００１７】
また、第一プーリと第二プーリとは、高さを異ならせて配置したものである。
【００１８】
また、第一ワイヤーには整流板に連結して整流板を移動させる第一連結部材を設け、前記第二ワイヤーには前記可動フードに連結して可動フードを収納及び引き出しさせる第二連結部材を備え、第一ワイヤーと第二ワイヤーのゆるみをなくするように調節する張力調整手段を設けたものである。
【００１９】
また、板材に可動フードの引き出し方向に沿って１つの溝を設け、第一連結部材および第二連結部材を移動可能に設けたことものである。
【００２０】
また、第一駆動電動機および第二駆動電動機の運転を制御する位置検知手段を設けたものである。
【００２１】
また、位置検知手段は、１つの部材に複数のスイッチを配置してユニット化し、第一駆動電動機および第一ギアを１つの部材に配置してユニット化し、第二駆動電動機および第二ギアを１つの部材に配置してユニット化し、これらを１枚の板材に配置したものである。
【００２２】
また、１枚の板材に配置した第一駆動装置と第二駆動装置を固定フードの両側に設け構成したものである。
【発明の効果】
【００２３】
本発明によれば、移動可能な整流板を前方の使用者に近づかせることで拭き取りや取り外しの清掃性が向上することができる。
【００２４】
また、本発明によれば、油煙や水蒸気による壁面等への結露を防止し、結露水を拭き取るといった清掃の手間を少なくすることができる。
【００２５】
また、本発明によれば、ユニット化された駆動装置が損傷・故障した際においても、交換が必要な部品のみを交換することが可能となり、交換作業費用や部品費用を安価にできる。
【発明を実施するための最良の形態】
【００２６】
以下、本発明の一実施例を図面に沿って説明する。
【００２７】
図１は本発明の一実施例に係るレンジフードの断面図、図２は本発明の一実施例に係るレンジフードの全体斜視図である。
【００２８】
図１及び図２において、１００は外郭を形成するファンユニット、１０１はファンユニット１００に収納され排気を行うための気流を発生させるファン、１０２はファンユニット１に収納されファン１０１を駆動させる電動機、１０３は外気と連通するダクト（図示せず）が接続されるダクト継手、１０４はファンユニット１００内に形成されファン101と連通する吸気流路、１０５はファン１００への異物侵入を防ぐと共に、油煙中の油を付着させて外気へ放出される油の量を軽減させるフィルタである。
【００２９】
１０６はファンユニット１００の下部に設けられた固定フード、１０７は固定フード
１０６から使用者側（前側）に向かって引き出され、また収納可能な可動フードである。１０８は固定フード１０６及び可動フード１０７の下部に設けられた整流板である。この整流板１０８は、固定フード１０６に設けられた第一整流板１０８ａと、可動フード107に設けられた第二整流板１０８ｂから構成されている。固定フード１０６の内周と第一整流板１０８ａの外周との間、及び可動フード１０７の内周と第二整流板１０８ｂの外周との間には吸込口１０９が形成されている。本実施例においては、固定フード１０６の後方（壁側）内側と第一整流板１０８ａの後方（壁側）外側との間の吸込口を吸込口１０９ａとし、可動フード１０７の前方（使用者側）内側と第二整流板１０８ｂの前方(使用者側)外側との間の吸込口を吸込口１０９ｂとする。
【００３０】
１１０は固定フード１０６の下面と第一整流板１０８ａの上面、及び可動フード１０７と第二整流板１０８ｂの上面との間に形成され、吸気流路１０４と連通するフード流路である。１１１は整流板１０８（第一整流板１０８ａ）を移動させる第一駆動装置、１１２は可動フード１０７を収納及び引き出し可能に動作させる第二駆動装置である。
【００３１】
本発明のレンジフードは、可動フード１０７が固定フード１０６に収納させるように構成されているため、固定フード１０６と可動フード１０７とにそれぞれ取付けられる第一整流板１０８ａと第二整流板１０８ｂの上下方向の高さ位置を異ならせるように段違いで設けられている。本実施例では、第一整流板１０８ａを下にし、第二整流板１０８ｂを第一整流板１０８ａの上になるようにして配置している。これにより、可動フード１０７を固定フード１０６に収納させた場合には、第一整流板１０８ａの上に第二整流板１０８ｂが重なるように配置され、可動フード１０７を固定フード１０６に収納させた場合における第一整流板１０８ａと第二整流板１０８ｂとの干渉を防止している。
【００３２】
可動フード１０７の前方（使用者側）には操作スイッチ１１３が設けられており、この操作スイッチ１１３を押すことにより、ファン１０１を駆動する電動機１０２の運転・停止、可動フード１０７の引き出し・収納といった動作が実行される。１１４は第一駆動装置１１１と第二駆動装置１１２を覆う駆動装置カバーである。１５０はレンジフードが取付けられる壁である。
【００３３】
次に図３〜図８を用いて、本発明に係る実施例の詳細を説明する。
【００３４】
第一駆動装置１１１と第二駆動装置１１２の構成を説明する。
【００３５】
図３は本発明の一実施例に係る駆動ユニットの上面図、図４は本発明の一実施例に係る駆動ユニットの上面図、図５は本発明の一実施例に係る駆動ユニットから第一及び第二駆動電動機ユニットを取り外した状態における斜視図、図６は本発明の一実施例に係る第一連結部材１３１と整流板１０８の連結、及び第二連結部材１３４と可動フード１０７の連結構造を示す図、図７は本発明の一実施例に係る可動フード１０７を収納した状態におけるレンジフードの上面図、図８は本発明の一実施例に係る可動フード１０７を引き出した状態におけるレンジフードの上面図、図９は本発明の一実施例に係るグリルモード時の駆動ユニットの上面図、図１０は図９の状態において整流板１０８を移動させた状態におけるレンジフードの断面図、図１１は本発明の一実施例に係るお手入れモード時の駆動ユニットの上面図、図１２は図１１の状態において整流板１０８を移動させた状態におけるレンジフードの断面図、図１３は本発明の一実施例にかかる操作スイッチ１１３の正面図である。
【００３６】
図３〜図５を用いて駆動ユニットの構成を説明する。なお、図３〜図５の駆動ユニットは図７及び図８において上側（使用者から壁側に向かって左側）に位置する駆動ユニットに相当するものである。駆動ユニットは固定フード１０６の上方に取付けられている。本実施例では図７及び図８において上側に位置する駆動ユニットを用いて説明する。
【００３７】
１１５は第一駆動装置１１１と第二駆動装置１１２を取付けるための１枚の板材である。１１６は整流板１０８（第一整流板１０８ａ）を移動させるための駆動源となる第一駆動電動機、１１７は第一駆動電動機１１６の回転軸に取付けられた第一駆動電動機ギア、１１８は第一駆動電動機ギア１１７と噛み合い第一駆動電動機１１６の動力を伝える第一ギア、１１９は第一駆動電動機１１６及び第一ギア１１８を１つの部材に配置した第一駆動電動機ユニットである。
【００３８】
１２０は可動フード１０７を収納及び引き出し可能に動作させるための駆動源となる第二駆動電動機、１２１は第二駆動電動機１２０の回転軸に取付けられた第二駆動電動機ギア、１２２は第二駆動電動機ギア１２１と噛み合い第二駆動電動機１２０の動力を伝える第二ギア、１２３は第二駆動電動機１２０及び第二ギア１２２を１つの部材に配置した第二駆動電動機ユニットである。
【００３９】
第一駆動電動機ユニット１１９及び第二駆動電動機ユニット１２３は、板材１１５から立ち上がって配置された取付台１２４を介して、板材１１５に取付けられている。また、第一駆動電動機ユニット１１９と第二駆動電動機ユニット１２３は、取付台１２４に取付けられている。このため、例えば、第一駆動電動機１１６あるいは第二駆動電動機１２０が故障・損傷した場合には、第一駆動電動機１１６を配置した第一駆動電動機ユニット
１１９あるいは第二駆動電動機１２０を配置した第二駆動電動機ユニット１２３を取付台１２４から取り外して交換すれば良い。本実施例によれば、ユニット化された駆動装置が損傷・故障した際においても、交換が必要な部品のみを交換することができるので、交換作業費用や部品費用を安価にできる。
【００４０】
取付台１２４に下方には、板材１１５に回転可能に取付けられた第一プーリ１２５と、第二プーリ１２６が設けられている。第一プーリ１２５はその上方にある第一ギア１１８の回転軸１１８ａと接続され、第一駆動電動機１１６の駆動力が伝達される。同様に、第二プーリ１２６はその上方にある第二ギア１２２の回転軸１２２ａと接続され、第二駆動電動機１２０の駆動力が伝達される。第一駆動電動機１１６と第二駆動電動機１２０とは、正逆転可能となっており、これらによって駆動される第一プーリ１２５と第二プーリ
１２６も正逆転可能となっている。
【００４１】
第一プーリ１２５は軸方向に積み重ねられた第一上プーリ１２５ａ及び第一下プーリ
１２５ｂの二段で構成され、同様に第二プーリ１２６は軸方向に積み重ねられた第二上プーリ１２６ａ及び第二下プーリ１２６ｂの二段で構成されている。
【００４２】
第一プーリ１２５と第二プーリ１２６とは、図３に示すように軸方向の高さを異ならせて配置している。本実施例では、第一プーリ１２５に対し、第二プーリ１２６の軸方向の高さを高くしている（取付台１２４に寄せている）。
【００４３】
１２７は板材１１５の端部に回転可能に取付けられた前サブプーリ、１２８は前サブプーリ１２７とは反対側の板材１１５の端部に回転可能に取付けられた後サブプーリである。前サブプーリ１２７は軸方向に積み重ねられた前上サブプーリ１２７ａと前下サブプーリ１２７ｂの二段で構成され、同様に後サブプーリ１２８は軸方向に積み重ねられた後上サブプーリ１２８ａと後下サブプーリ１２８ｂの二段で構成されている。
【００４４】
整流板１０８（第一整流板１０８ａ）を移動させる機構について説明する。１２９は第一プーリ１２５と前サブプーリ１２７と後サブプーリ１２８とに張られた第一ワイヤーである。  第一ワイヤー１２９の一端は第一プーリ１２５の第一下プーリ１２５ｂに固定され、他端は第一上プーリ１２５ａに固定されている。また第一ワイヤー１２９は前下サブプーリ１２７ｂと後下サブプーリ１２８ｂに張られている。図４及び図５の場合、第一プーリ１２５が時計回りに回転すると、第一上プーリ１２５ａに複数回巻き付いていた第一ワイヤー１２９が放出され、放出された分だけ第一ワイヤー１２９が後下サブプーリ128b及び前下サブプーリ１２７ｂを動き、放出された分だけ第一ワイヤー１２９が第一下プーリ１２５ｂに複数回巻き付く。これとは逆に第一プーリ１２５が反時計回りに回転すると、第一下プーリ１２５ｂに複数回巻き付いていた第一ワイヤー１２９が放出され、放出された分だけ第一ワイヤー１２９が前下サブプーリ１２７ｂ及び後下サブプーリ１２８ｂを動き、第一ワイヤー１２９が第一上プーリ１２５ａに複数回巻き付く。１３０ａは第一ワイヤー１２９の弛みを抑制するために所定の張力を与える第一張力調整手段である。
【００４５】
また、前サブプーリ１２７と後サブプーリ１２８との間に位置する第一ワイヤー１２９には、整流板１０８（第一整流板１０８ａ）と連結して整流板１０８（第一整流板108a）を移動させる第一連結部材１３１が設けられている。１３２は板材１１５の前サブプーリ１２７と後サブプーリ１２８との間に形成された溝であり、第一連結部材１３１は、第一ワイヤー１２９の移動分だけ溝１３２を移動する。第一連結部材１３１と整流板１０８
（第一整流板１０８ａ）の連結構造については後述する。
【００４６】
次に可動フード１０７を移動させる機構について説明する。１３３は第二プーリ１２６と前サブプーリ１２７と後サブプーリ１２８とに張られた第二ワイヤーである。
【００４７】
第二ワイヤー１３３の一端は第二プーリ１２６の第二下プーリ１２６ｂに固定され、他端は第二上プーリ１２６ａに固定されている。また第二ワイヤー１３３は前上サブプーリ１２７ａと後上サブプーリ１２８ａに張られている。図４及び図５の場合、第二プーリ
１２６が時計回りに回転すると、第二上プーリ１２６ａに複数回巻き付いていた第二ワイヤー１３３が放出され、放出された分だけ第二ワイヤー１３３が後上サブプーリ１２８ａ及び前上サブプーリ１２７ａを動き、放出された分だけ第二ワイヤー１３３が第二下プーリ１２６ｂに複数回巻き付く。これとは逆に第二プーリ１２６が反時計回りに回転すると、第二下プーリ１２６ｂに複数回巻き付いていた第二ワイヤー１３３が放出され、放出された分だけ第二ワイヤー１３３が前上サブプーリ１２７ａ及び後上サブプーリ１２８ａを動き、第二ワイヤー１３３が第二上プーリ１２６ａに複数回巻き付く。１３０ｂは第二ワイヤー１３３の弛みを抑制するために所定の張力を与える第二張力調整手段である。
【００４８】
また、前サブプーリ１２７と後サブプーリ１２８との間に位置する第二ワイヤー１３３には、可動フード１０７と連結して可動フード１０７を移動させる第二連結部材１３４が設けられている。第二連結部材１３４は、第二ワイヤー１３３の移動分だけ溝１３２を移動する。第一連結部材１３１と第二連結部材１３４とは可動フード１０７の引き出し方向（図３の左方）に対して第一連結部材１３１が後側、第二連結部材１３４が前側に位置するように同一の溝１３２に装着され、同一の溝１３２を移動する。
【００４９】
本実施例では可動フード１０７及び整流板１０８を移動させるのに、第一ワイヤー120及び第二ワイヤー１３３を用い、互いがクロスするようにワイヤーが張られているが、先に述べたように第一プーリ１２５と第二プーリ１２６とは、図３に示すように軸方向の高さを異ならせて配置しているので、第一ワイヤー１２０と第二ワイヤー１３３が擦れ合うことがなく、摩擦によるワイヤーの切断を防止できる。また、ワイヤー同士が擦れ合う摩擦抵抗がないので、第一駆動電動機１１６及び第二駆動電動機１２０の駆動力を低減できる。
【００５０】
次に図６を用いて第一連結部材１３１と整流板１０８の連結構造、及び第二連結部材
１３４と可動フード１０７の連結構造を説明する。図６（ａ）において、１３５は整流板１０８（第一整流板１０８ａ）の上方に向かって突出して設けられた第一突起部である。第一連結部材１３１には下方に向かって開口した第一開口部１３１ａが形成されており、この第一開口部１３１ａに第一突起部１３５が挿入されることにより、第一連結部材131と整流板１０８（第一整流板１０８ａ）とが連結される。第二連結部材１３４と可動フード１０７も同様に連結される。
【００５１】
図６（ｂ）において、１３６は可動フード１０７の上方に向かって突出して設けられた第二突起部である。第二連結部材１３４には下方に向かって開口した第二開口部１３４ａが形成されており、この第二開口部１３４ａに第二突起部１３６が挿入されることにより、第二連結部材１３４と可動フード１０７とが連結される。
【００５２】
本実施例では、第一連結部材１３１と整流板１０８が連結され、また第二連結部材134と可動フード１０７が連結されているので、第一連結部材１３１及び第二連結部材１３４が溝１３２を移動することによって、可動フード１０７の引き出し・収納、及び整流板
１０８（第一整流板１０８ａ）の移動が可能となる。
【００５３】
図４及び図５に戻り、第一駆動電動機１１６及び第二駆動電動機１２０の運転を停止させる手段について説明する。
【００５４】
図４及び図５において、１３７は第一駆動電動機１１６の運転を停止させる第一駆動電動機用の位置検知手段であり、この位置検知手段１３７は後端位置１３７ａと、第一中間位置１３７ｂと、第二中間位置１３７ｃとに複数配置されている。
【００５５】
１３８は第二駆動電動機１２０の運転を停止させる第二駆動電動機用の位置検知手段であり、この位置検知手段１３８は後端位置１３８ａと、前端位置１３８ｂとに複数配置されている。位置検知手段１３７，１３８は取付け部材１３９に取付けられてユニット化され、取付部材に取付けた位置検知手段１３７，１３８を溝１３２に沿うようにして板材
１１５に取付ける。本実施例では位置検知手段１３７，１３８は取付け部材１３９に取付けられてユニット化し、これを板材１１５に取付けるようにしているので、位置検知手段１３７，１３８が故障・損傷した場合には、ユニット化した取付け部材１３９を交換すれば良いので、交換作業費用や部品費用を安価にできる。
【００５６】
位置検知手段１３７，１３８は、第一連結部材１３１，第二連結部材１３４が溝１３２を移動することによってその位置を検知し、第一駆動電動機１１６，第二駆動電動機120の運転を停止させる。
【００５７】
本実施例の駆動ユニットは、上述したものから構成されている。そして、この駆動ユニットは、図７及び図８に示すように可動フード１０７の引き出し・収納方向に対し、左右両側に配置されている。本実施例では上述したように図７及び図８において上側（使用者から壁側に向かって左側）に位置する駆動ユニットを用いてその構造を説明したが、下側（使用者から壁側に向かって右側）に位置する駆動ユニットも同様な構成となっている。ただし、可動フード１０７及び整流板１０８（第一整流板１０８ａ）を移動させる際の第一駆動電動機１１６，第二駆動電動機１２０、及びこれらによって駆動される第一ギア
１１８，第二ギア１２２，第一プーリ１２５，第二プーリ１２６の回転方向は、左右の駆動ユニットでそれぞれ逆方向に回転する。
【００５８】
以下、可動フード１０７の動作について、図４，図５，図７，図８，図１３を用いて説明する。
【００５９】
図１３において、操作スイッチ１１３には、運転停止を行う切１１３ａ，油煙の発生が少ない時や静かに運転したい時に使用する、通常の調理時に使用する標準モード１１３ｃ，油煙や蒸気が多い時や強力な換気が必要な時に使用する強モード１１３ｄ，グリルで使用時に整流板１０８（第一整流板１０８ａ）を動作させるグリルモード１１３ｅ，清掃時に整流板１０８（第一整流板１０８ａ）を清掃し易い位置に移動させるお手入れモード
１１３ｆが設けられている。
【００６０】
使用者が弱モード１１３ｂ，標準モード１１３ｃ，強モード１１３ｄの何れかのスイッチを押すと、ファン１０１を回転させる電動機１０２が回転を始めると共に、第二駆動電動機１２０が運転を始め第二プーリが回転し、第二上プーリ１２６ａに複数回巻き付いていた第二ワイヤー１３３が放出され、放出された分だけ第二ワイヤー１３３が後上サブプーリ１２８ａ及び前上サブプーリ１２７ａを動き、放出された分だけ第二ワイヤー１３３が第二下プーリ１２６ｂに複数回巻き付く。そして、第二ワイヤー１３３の動きに合わせ、第二連結部材１３４が溝１３２に沿って動き、第二連結部材１３４に連結された可動フード１０７が図７に示す実線の矢印方向に引き出されるように動作する。図４及び図８に示すように、第二連結部材１３４が前端位置１３８ｂにある位置検知手段１３８の所まで来ると、前端位置１３８ｂの位置検知手段１３８は第二連結部材１３４の位置を検知し、第二駆動電動機１２０の運転を停止させ、可動フード１０７の引き出し動作が完了する。可動フード１０７に固定された整流板１０８（第二整流板１０８ｂ）も可動フード１０７と共に引き出される。ファン１０１を回転させる電動機１０２はそのまま回転を続け、これにより換気が行われる。
【００６１】
次に使用者が切１１３ａのスイッチを押すと、ファン１０１を回転させる電動機１０２が停止すると共に、第二駆動電動機１２０が運転を始め第二プーリ１２６が回転し、第二下プーリ１２６ｂに複数回巻き付いていた第二ワイヤー１３３が放出され、放出された分だけ第二ワイヤー１３３が前上サブプーリ１２７ａ及び後上サブプーリ１２８ａを動き、放出された分だけ第二ワイヤー１３３が第二上プーリ１２６ａに複数回巻き付く。そして、第二ワイヤー１３３の動きに合わせ、第二連結部材１３４が溝１３２に沿って動き、第二連結部材１３４に連結された可動フード１０７が図８に示す点線の矢印方向に移動し固定フード１０６に収納されるように動作する。図４及び図７に示すように、第二連結部材１３４が後端位置１３８ａにある位置検知手段１３８の所まで来ると、後端位置１３８ａの位置検知手段１３８は第二連結部材１３４の位置を検知し、第二駆動電動機１２０の運転を停止させ、可動フード１０７の収納動作が完了する。可動フード１０７に固定された整流板１０８（第二整流板１０８ｂ）も可動フード１０７と共に収納される。蒸気の実施例では、使用者が切１１３ａのスイッチを押すと直ぐに可動フード１０７を固定フード
１０６に収納する動作を開始したが、調理後の臭いを換気させるために切１１３ａのスイッチを押してから初手時間経過後（例えば３分間）にファン１０１を回転させる電動機
１０２が停止させ、可動フード１０７を固定フード１０６に収納する動作を行うようにさせても良い。
【００６２】
次に、グリルモード１１３ｅを選択した時における整流板１０８(第一整流板１０８ａ)の動作について、図４，図５，図９，図１０，図１３を用いて説明する。
【００６３】
可動フード１０７が引き出された状態（弱モード１１３ｂ，標準モード１１３ｃ，強モード１１３ｄの何れかで運転している状態）で、使用者がグリルモード１１３ｅのスイッチを押すと、第一駆動電動機１１６が運転を始め第一プーリ１２５が回転し、第一上プーリ１２５ａに複数回巻き付いていた第一ワイヤー１２９が放出され、放出された分だけ第一ワイヤー１２９が後下サブプーリ１２８ｂ及び前下サブプーリ１２７ｂを動き、放出された分だけ第一ワイヤー１２９が第一下プーリ１２５ｂに複数回巻き付く。そして、第一ワイヤー１２９の動きに合わせ、第一連結部材１３３１溝１３２に沿って動き、第一連結部材１３１に連結された整流板１０８（第一整流板１０８ａ）が図１０に示す実線の矢印方向のように前方（使用者側）に移動する。図４及び図９に示すように、第一連結部材
１３１が後端位置１３７ａから移動し、第一中間位置１３７ｂにある位置検知手段１３７の所まで来ると、第一中間位置１３７ｂの位置検知手段１３７は第一連結部材１３１の位置を検知し、第一駆動電動機１１１６の運転を停止させ、整流板１０８(整流板１０８ａ)の移動が完了する。これにより、図１０に示すように第一整流板１０８ａの後方（壁側）の吸込口１０９ａの開口面積が広がり、レンジ１４０の後方（壁側）に配置されたグリル排気口１４０ａから排出された油煙や蒸気１４０ｂは、グリル排気口１４０ａの上部に対向して開口した吸込口１０９ａから効率よく吸引される。
【００６４】
本実施例によれば、グリルモードを設けて整流板１０８（整流板１０８ａ）を移動させ、グリルを用いた調理に合わせて吸込口１０９ａの開口面積を大きくしているので、油煙や蒸気１４０ｂが整流板１０８に沿って前方に流れたり、後方に流れて壁に当ったりすることが少なくなり、整流板１０８や壁１５０が結露することを少なくすることができ、結露した水を拭き取る清掃の手間を無くすことができる。
【００６５】
グリルモード１１３ｅが選択した場合には、油煙や蒸気１４０ｂをより吸い込み易くするために、ファン１０１の回転数は強モード１１３ｄと同等かそれよりも高い回転数とすることが好ましい。また、本実施例では、可動フード１０７が引き出された状態（弱モード１１３ｂ、標準モード１１３ｃ，強モード１１３ｄの何れかで運転している状態）で、グリルモード１１３ｅのスイッチが押された場合について説明したが、可動フード１０７が収納された状態（ファンの運転停止状態）からグリルモード１１３ｅのスイッチが押された場合には、可動フード１０７の引き出し動作終了後に整流板１０８が移動するようにする。可動フード１０７の引き出し動作は上述した通りである。
【００６６】
次に、お手入れモード１１３ｆを選択した時における整流板１０８（第一整流板108a）の動作について、図４，図５，図１１〜図１３を用いて説明する。お手入れモード113ｆを選択した時は、ファン１０１は停止状態となる。
【００６７】
可動フード１０７が収納された状態（ファンの運転停止状態）で、使用者がお手入れモード１１３ｆのスイッチを押すと、第二駆動電動機１２０が運転を始め第二プーリが回転し、第二上プーリ１２６ａに複数回巻き付いていた第二ワイヤー１３３が放出され、放出された分だけ第二ワイヤー１３３が後上サブプーリ１２８ａ及び前上サブプーリ１２７ａを動き、放出された分だけ第二ワイヤー１３３が第二下プーリ１２６ｂに複数回巻き付く。そして、第二ワイヤー１３３の動きに合わせ、第二連結部材１３４が溝１３２に沿って動き、第二連結部材１３４に連結された可動フード１０７が引き出されるように動作する。図４及び図１１に示すように、第二連結部材１３４が前端位置１３８ｂにある位置検知手段１３８の所まで来ると、前端位置１３８ｂの位置検知手段１３８は第二連結部材134の位置を検知し、第二駆動電動機１２０の運転を停止させ、可動フード１０７の引き出し動作が完了する。可動フード１０７に固定された整流板１０８（第二整流板１０８ｂ）も可動フード１０７と共に引き出される。続いて第一駆動電動機１１６が運転を始め第一プーリ１２５が回転し、第一上プーリ１２５ａに複数回巻き付いていた第一ワイヤー１２９が放出され、放出された分だけ第一ワイヤー１２９が後下サブプーリ１２８ｂ及び前下サブプーリ１２７ｂを動き、放出された分だけ第一ワイヤー１２９が第一下プーリ１２５ｂに複数回巻き付く。そして、第一ワイヤー１２９の動きに合わせ、第一連結部材１３３１溝１３２に沿って動き、第一連結部材１３１に連結された整流板１０８(第一整流板108a)が図１２に示す実線の矢印方向のように前方（使用者側）に移動する。図４及び図１１に示すように、第一連結部材１３１が後端位置１３７ａから移動し、第一中間位置１３７ｂを通過し第二中間位置１３７ｃにある位置検知手段１３７の所まで来ると、第二中間位置１３７ｃの位置検知手段１３７は第一連結部材１３１の位置を検知し、第一駆動電動機
１１１６の運転を停止させ、整流板１０８（第一整流板１０８ａ）の移動が完了する。これにより、図１２に示すように整流板１０８（第一整流板１０８ａ）は使用者側（前方）にあるので、使用者の手の届き易い位置にある。
【００６８】
本実施例によれば、お手入れモード１１３ｆを設け、整流板１０８(第一整流板108ａ)を使用者の手の届き易い位置に移動させることができるので、整流板１０８（第一整流板１０８ａ）の拭き取りや取り外しといった清掃性を向上することができる。
【００６９】
以上説明したように本実施例によれは、強・標準・弱モード，グリルモード，お手入れモードを設け、３段階（複数段階）に移動可能な整流板を設けてので、調理に合わせた効率の高い換気性能を図り、清掃性を向上させたレンジフードを提供することができる。
【図面の簡単な説明】
【００７０】
【図１】本発明の一実施例に係るレンジフードの断面図である。
【図２】本発明の一実施例に係るレンジフードの全体斜視図である。
【図３】本発明の一実施例に係る駆動ユニットの上面図である。
【図４】本発明の一実施例に係る駆動ユニットの上面図である。
【図５】本発明の一実施例に係る駆動ユニットから第一及び第二駆動電動機ユニットを取り外した状態における斜視図である。
【図６】本発明の一実施例に係る第一連結部材１３１と整流板１０８の連結、及び第二連結部材１３４と可動フード１０７の連結構造を示す図である。
【図７】本発明の一実施例に係る可動フード１０７を収納した状態におけるレンジフードの上面図である。
【図８】本発明の一実施例に係る可動フード１０７を引き出した状態におけるレンジフードの上面図である。
【図９】本発明の一実施例に係るグリルモード時の駆動ユニットの上面図である。
【図１０】図９の状態において整流板１０８を移動させた状態におけるレンジフードの断面図である。
【図１１】本発明の一実施例に係るお手入れモード時の駆動ユニットの上面図である。
【図１２】図１１の状態において整流板１０８を移動させた状態におけるレンジフードの断面図である。
【図１３】本発明の一実施例にかかる操作スイッチ１１３の正面図である。
【符号の説明】
【００７１】
１００  ファンユニット
１０１  ファン
１０２  電動機
１０６  固定フード
１０７  可動フード
１０８  整流板
１０８ａ  第一整流板
１０８ｂ  第二整流板
１１１  第一駆動装置
１１２  第二駆動装置
１１３  操作スイッチ
１１５  板材
１１６  第一駆動電動機
１１８  第一ギア
１１９  第一駆動電動機ユニット
１２０  第二駆動電動機
１２２  第二ギア
１２３  第二駆動電動機ユニット
１２４  取付台
１２５  第一プーリ
１２５ａ  第一上プーリ
１２５ｂ  第一下プーリ
１２６  第二プーリ
１２６ａ  第二上プーリ
１２６ｂ  第二下プーリ
１２９  第一ワイヤー
１２７  前サブプーリ
１２７ａ  前上サブプーリ
１２７ｂ  前下サブプーリ
１２８  後サブプーリ
１２８ａ  後上サブプーリ
１２８ｂ  後下サブプーリ
１２９  第一ワイヤー
１３１  第一連結部材
１３２  溝
１３３  第二ワイヤー
１３４  第二連結部材
１３７，１３８  位置検知手段
【図１】
2008170034.tif 000003
【図２】
2008170034.tif 000004
【図３】
2008170034.tif 000005
【図４】
2008170034.tif 000006
【図５】
2008170034.tif 000007
【図６】
2008170034.tif 000008
【図７】
2008170034.tif 000009
【図８】
2008170034.tif 000010
【図９】
2008170034.tif 000011
【図１０】
2008170034.tif 000012
【図１１】
2008170034.tif 000013
【図１２】
2008170034.tif 000014
【図１３】
2008170034.tif 000015